(57)【要約】【課題】各エアーバッグの排気時間を短時間化するとともに、各エアーバッグを排気するときにエアーバッグ出口や給排気切換用電磁弁で発生する騒音（エアー通過音）を一つのマフラーで消音可能にしたエアーマッサージ機を提供すること。【解決手段】エアーバッグからの排気を流通させる集合排気管中にエゼクターを設け、エアーポンプから吐出された一部のエアーを１次エアーとしてエアーバッグからのエアーを誘引して排気する。【選択図】        図１
2004195115.tif 000002
【特許請求の範囲】
【請求項１】
被施療部を押圧するための複数のエアーバッグと、エアーバッグにエアーを供給するエアーポンプと、エアーポンプから吐出された吐出エアーを各エアーバッグに供給する分岐給気管と、各分岐給気管に接続された給排気切換用電磁弁と、各給排気切換用電磁弁と各エアーバッグとを接続する入口配管と、各給排気切換用電磁弁の切り換えによりエアーバッグのエアーを入口配管を介して排気可能とするように給排気切換用電磁弁に接続された分岐排気管と、分岐排気管を集合する集合排気管と、１次エアーを導入する接続口がエアーポンプの吐出側に接続され、誘引エアーを導入する接続口が集合排気管に接続されたエゼクターと、エゼクターのエアー吐出側に設けられた１個のマフラーとを備えてなることを特徴とするエアーマッサージ機。
【発明の詳細な説明】
【０００１】
【発明の属する技術分野】
本発明は、被施療部を押圧するための複数のエアーバッグを備え、このエアーバッグを給排気することによりマッサージを行うエアーマッサージ機に関する。
【０００２】
【従来の技術】
被施療部を押圧するための複数のエアーバッグを備え、このエアーバッグを給排気することによりマッサージを行うエアーマッサージ機としては、例えば、特許文献１に記載されているようなものが従来知られている。この従来のものでは、敷き布団やマットレスのような敷き寝具の上面に４個の空気袋（エアーバッグ）が配置され、エアーコンプレッサー（エアーポンプ）の吐出側に１個の消音器（マフラー）を介して分配弁が接続され、またこの分配弁から４本のホースにより４個のエアーバッグが接続されている。
【０００３】
【特許文献１】
特開平８−８９５３９号公報
【０００４】
【発明が解決しようとする課題】
したがって、上述のエアーマッサージ機では、エアーコンプレッサーから吐出されたエアーは、消音器、分配弁、空気袋を接続するエアーホースを介して空気袋に供給される。その際、エアーコンプレッサーの駆動により騒音が発生する。また、上述のエアーマッサージ機においては、空気袋からエアーが排出される際及び空気袋から排気されるエアーが分配弁を通過する際にエアー通過音が発生するが、このエアー通過音は前述のマフラーでは消音することができないという問題があった。また、各空気袋のエアーの排出は、空気袋を大気に開放するだけであるので時間が長くなるという問題があった。
【０００５】
本発明はこのような従来技術の問題点に着目してなされたものである。その目的とするところは、各エアーバッグの排気時間を短時間化するとともに、各エアーバッグを排気するときにエアーバッグ出口や給排気切換用電磁弁で発生する騒音を一つのマフラーで消音可能にしたエアーマッサージ機を提供することにある。
【０００６】
【課題を解決するための手段】
上記目的を達成するために、本発明に係るエアーマッサージ機は、被施療部を押圧するための複数のエアーバッグと、エアーバッグにエアーを供給するエアーポンプと、エアーポンプから吐出された吐出エアーを各エアーバッグに供給する分岐給気管と、各分岐給気管に接続された給排気切換用電磁弁と、各給排気切換用電磁弁と各エアーバッグとを接続する入口配管と、各給排気切換用電磁弁の切り換えによりエアーバッグのエアーを入口配管を介して排気可能とするように給排気切換用電磁弁に接続された分岐排気管と、分岐排気管を集合する集合排気管と、１次エアーを導入する接続口がエアーポンプの吐出側に接続され、誘引エアーを導入する接続口が集合排気管に接続されたエゼクターと、エゼクターのエアー吐出側に設けられた１個のマフラーとを備えてなることを特徴とする。
【０００７】
このエアーマッサージ機によれば、エアーバッグから排気するエアーは給排気切換用電磁弁及び分岐排気管を介して１本の集合排気管を介して排出される。また、この排気は、集合排気管に接続されたエゼクターにおいて、エアーポンプから供給される１次エアーにより誘引されるので排気時間が短縮される。したがって、エアーバッグを速い周期で膨張収縮させることができる。また、このエゼクターの突出側にマフラーが接続されているので、各エアーバッグの出口や各給排気切換用電磁弁で発生する騒音（エアー通過音）をこの一つのマフラーで低下させることができる。
【０００８】
【発明の実施の形態】
以下、この発明を具体化した実施の形態に係るエアーマッサージ機を図１〜図５に基づいて説明する。図１は本発明に係るエアーマッサージ機の概略構成図である。図２は同エアーマッサージ機の給排気回路図であって、一つのエアーバッグを給気し、残部のエアーバッグを排気している状態を示す。図３は同エアーマッサージ機の給排気回路図であって、他の一つのエアーバッグを給気し、残部のエアーバッグを排気している状態を示す。図４は同エアーマッサージ機の給排気回路図であって、全てのエアーバッグを給気している状態を示す。
【０００９】
実施の形態１に係るエアーマッサージ機は、図１に示すように、このエアーマッサージ機本体としてのマット１、マット１上面に配設された３個のエアーバッグ２、３、４、このエアーバッグ２、３、４にエアーを給気し、又はこのエアーバッグ２、３、４のエアーを排気する給排気回路５などから構成されている。
【００１０】
マット１は、身体支持台として平面視長方形状でかつ肉厚に形成されている。また、マット１は、例えば通気性を有する発泡ウレタンフォームなどからなる軟質部材により構成されている。
エアーバッグ２、３、４は、マット１上において、使用者が仰向けに横たわった場合に、使用者の脚部をマッサージできるように配設されている。
【００１１】
給排気回路５は、適宜の運転モードでエアーバッグ２、３、４にエアーを給気し、又はエアーバッグ２、３、４のエアーを排気するものである。また、給排気回路５は、エアーポンプ１０、エアーポンプ１０から吐出されたエアーを供給する主給気管１１、主給気管１１から分岐された分岐給気管１２、１３、１４、この分岐給気管１２、１３、１４に接続された給排気切換用電磁弁（この場合三方電磁弁）１５、１６、１７、この三方電磁弁１５、１６、１７とエアーバッグ２、３、４とを連通するエアーバッグ２、３、４の入口配管２１、２２、２３、三方電磁弁１５、１６、１７の排気口に接続された分岐排気管２４、２５、２６、この分岐排気管２４、２５、２６を集合する集合排気管２７、集合排気管２７に接続されたエゼクター２９、エゼクター２９の１次エアー導入口２９ａと主給気管１１とを接続する１次エアー導入管３０、１次エアー導入管３０中に設けられた逆止弁付電磁弁３１、エゼクター２９の排出側に設けられた膨張型マフラー３２などから構成されている。
【００１２】
なお、三方電磁弁１５、１６、１７は、分岐給気管１２、１３、１４と入口配管２１、２２、２３とを連通する導通位置（給気位置）Ａと、エアーバッグ２、３、４からの排気を分岐排気管２４、２５、２６を介して排気可能とするように入口配管２１、２２、２３と分岐排気管２４、２５、２６とを連通する開放位置（排気位置）Ｂとの間で切換可能とされている。なお、三方電磁弁１５、１６、１７は、導通位置Ａに切り換えられたときに、分岐給気管１２、１３、１４からのエアーを入口配管２１、２２、２３を介してエアーバッグ２、３、４に供給することができ、開放位置Ｂに切り換えられたときに、エアーバッグ２、３、４のエアーを入口配管２１、２２、２３を介して分岐排気管２４、２５、２６に導くことができる。
また、逆止弁付電磁弁３１は、主給気管１１とエゼクター２９の１次エアー導入口２９ａとを連通する開位置Ｃ（図２、図３の状態）と、エアーポンプ１０からのエアーをエゼクター２９に流れないように逆止弁で閉鎖する閉位置Ｄ（図４の状態）との間で切換可能に構成されている。なお、逆止弁付電磁弁３１は、開位置Ｃに切り換えられたときに、エアーポンプ１０からのエアーを１次エアーとしてエゼクター２９に供給することができ、閉位置Ｄに切り換えられたときに、エアーポンプ１０からエゼクター２９への１次エアーの流通を停止させ、エアーポンプ１０からの吐出エアーの全量を分岐給気管１２、１３、１４を介してエアーバッグ２、３、４に導入することができる。
【００１３】
上記のように構成されたエアーマッサージ機において、エアーバッグ２を膨張させエアーバッグ３、４を排気状態とするときは、図２のように、三方電磁弁１５を導通位置Ａとし、三方電磁弁１６、１７を開放位置Ｂとし、更に、逆止弁付電磁弁３１を開位置Ｃとするように切り換える。
これにより、エアーポンプ１０から吐出された圧縮エアーは、主給気管１１、分岐給気管１２、三方電磁弁１５、入口配管２１を介してエアーバッグ２へ供給される。また、エアーポンプ１０から吐出される圧縮エアーの一部は、１次エアー導入管３０及び逆止弁付電磁弁３１を介してエゼクター２９に対し１次エアーとして供給される。一方、エアーバッグ３、４のエアーは入口配管２２、２３、三方電磁弁１６、１７及び集合排気管２７を介しエゼクター２９に導かれる。そして、エゼクター２９で１次エアーにより誘引されて膨張型マフラー３２を介して外部に排出される。
【００１４】
また、上記のように構成されたエアーマッサージ機において、エアーバッグ３を膨張させエアーバッグ２、４を排気状態とするときは、図３のように、三方電磁弁１６を導通位置Ａとし、三方電磁弁１５、１７を開放位置Ｂとし、更に、逆止弁付電磁弁３１を開位置Ｃとするように切り換える。
これにより、エアーポンプ１０から吐出された圧縮エアーは、主給気管１１、分岐給気管１３、三方電磁弁１６、入口配管２２を介してエアーバッグ３へ供給される。また、エアーポンプ１０から吐出される圧縮エアーの一部は、１次エアー導入管３０及び逆止弁付電磁弁３１を介してエゼクター２９に対し１次エアーとして供給される。一方、エアーバッグ２、４のエアーは入口配管２１、２３、三方電磁弁１５、１７及び集合排気管２７を介しエゼクター２９に導かれる。そして、エゼクター２９で１次エアーにより誘引されて膨張型マフラー３２を介して外部に排出される。
【００１５】
また、上記のように構成されたエアーマッサージ機において、エアーバッグ４を膨張させエアーバッグ２、３を排気状態とするときは、詳しくは説明しないが、上記の場合に準じて三方電磁弁１５、１６、１７及び逆止弁付電磁弁３１を操作すればよい。
【００１６】
また、上記のように構成されたエアーマッサージ機において、全てのエアーバッグ２、３、４を給気状態とするときは、図４のように、三方電磁弁１５、１６、１７を導通位置Ａとし、更に、逆止弁付電磁弁３１を閉位置Ｄとするように切り換える。
これにより、エアーポンプ１０から吐出された圧縮エアーは、エゼクター２９へ流れることがなく、全て主給気管１１を通過して分岐給気管１３、１４、１５に分流され、三方電磁弁１５、１６、１７、入口配管２１、２２、２３を介してエアーバッグ２、３、４へ供給される。
【００１７】
以上のように構成された本実施の形態に係るエアーマッサージ機によれば、エアーバッグ２、３、４から排気するエアーは三方電磁弁１５、１６、１７及び分岐排気管２４、２５、２６を介して１本の集合排気管２７を介して排出される。また、この排気は、集合排気管２７に接続されたエゼクター２９により、エアーポンプ１０から供給されるエアーを１次エアーとして誘引されるので排気時間が短縮される。したがって、エアーバッグ２、３、４を速い周期で膨張収縮させることができる。また、このエゼクター２９の出口側にマフラー３２が接続されているので、各エアーバッグ２、３、４の出口や各三方電磁弁１５、１６、１７で発生する騒音（冷媒通過音）をこの一つのマフラー３２で消音（低下）させることができる。
【００１８】
なお、上記実施の形態において、エアーバッグ２、３、４は、３個の例を示したが、この個数に限定されるものではない。
また、エアーバッグ２、３、４は、脚部をマッサージするものとして記載したが腰部などの他の被施療部をマッサージするものとしてもよい。
また、本実施の形態においては、マット１上にエアーバッグ２、３、４を配置する所謂マット式エアーマッサージ機について例示したが、これに限定されるものではなく椅子式等の他の形式のエアーマッサージ機に応用できることは言うまでもない。
【００１９】
【発明の効果】
この発明のエアーマッサージ機によれば、エアーバッグの膨張収縮を早くすることができるとともに、エアーバッグ排気時の騒音（エアー通過音）を低下させることができる。
【図面の簡単な説明】
【図１】本発明に係るエアーマッサージ機の概略構成図である。
【図２】同エアーマッサージ機の給排気回路図であって、一のエアーバッグを給気し、残部のエアーバッグを排気している状態を示す。
【図３】同エアーマッサージ機の給排気回路図であって、他の一のエアーバッグを給気し、残部のエアーバッグを排気している状態を示す。
【図４】同エアーマッサージ機の給排気回路図であって、全てのエアーバッグを給気している状態を示す。
【符号の説明】
１     マット
２〜４ エアーバッグ
５     給排気回路
１０   エアーポンプ
１１   主給気管
１２〜１４    分岐給気管
１５〜１７    給排気切換用電磁弁（三方電磁弁）
２１〜２３    入口配管
２４〜２６    分岐排気管
２７   集合排気管
２９   エゼクター
２９ａ 次エアー導入口
３０   次エアー導入管
３１   逆止弁付電磁弁
３２   （膨張型）マフラー
【図１】
2004195115.tif 000003
【図２】
2004195115.tif 000004
【図３】
2004195115.tif 000005
【図４】
2004195115.tif 000006